(57)【特許請求の範囲】
【請求項１】
消費財のための容器であって、
底部壁、２つの側壁、後部壁および前部壁を含むボックスと、
前記ボックスから第一の折り目に沿って延びる移動可能な容器の後部壁であって、前記移動可能な容器の後部壁が前記第一の折り目付近で開位置と閉位置の間を移動可能であり、また前記移動可能な容器の後部壁が前記閉位置にある時に前記移動可能な容器の後部壁が少なくとも部分的に前記ボックスの後部壁の上にある後部壁と、
前記移動可能な容器の後部壁からヒンジ線に沿って延びるリッドであって、前記リッドが開位置と閉位置の間で移動可能であるリッドと、
消費財を受けるための、前記ボックス内に位置する第一の区画であって、前記リッドが前記開位置にある時に前記第一の区画にアクセス可能であるものと、
消費財を受けるための、前記ボックス内に位置する第二の区画であって、前記リッドおよび前記移動可能な容器の後部壁の両方がそれぞれその前記開位置にある時に前記第二の区画にアクセス可能であるものとを含む、容器。
【請求項２】
前記ボックスの後部壁にある開口部であって、前記移動可能な容器の後部壁が、前記移動可能な容器の後部壁が前記閉位置にある時に、少なくとも部分的に前記開口部を覆い、また前記移動可能な容器の後部壁が前記閉位置から前記開位置に移動した時に、前記開口部が前記第二の区画へのアクセスを許容するものをさらに含む、請求項１に記載の容器。
【請求項３】
前記第二の区画が前記移動可能な容器の後部壁に接続され、また前記移動可能な容器の後部壁が前記開位置および前記閉位置の間を移動する時に、前記第二の区画が前記ボックスの後部壁にある前記開口部を通して移動する、請求項２に記載の容器。
【請求項４】
前記移動可能な容器の後部壁の一部分を前記ボックスに接続する１つ以上の壊れやすい部分をさらに含み、前記壊れやすい部分が前記移動可能な容器の後部壁を前記閉位置に保持し、また前記移動可能な容器の後部壁を前記開位置にまず移動すると前記壊れやすい部分が壊れる、請求項１、２または３に記載の容器。
【請求項５】
前記第一および第二の区画のうち少なくとも一つの内にエアロゾル発生物品をさらに含む、請求項１〜４のいずれか１項に記載の容器。
【請求項６】
消費財のための容器を形成する方法であって、前記方法が、
第一の層状ブランクを折り畳んで消費財を受けるための第一の区画を形成する工程と、
第二の層状ブランクを折り畳んで消費財を受けるための第二の区画を形成する工程と、
前記第一および第二の区画を第三の層状ブランクに固定する工程と、
前記第三の層状ブランクを前記第一および前記第二の区画の周りで折り畳んで、底部壁、２つの側壁および前部壁を含むボックスを形成する工程と、
前記折り畳まれた第三の層状ブランクを第四の層状ブランクに固定する工程と、
前記第四の層状ブランクを折り畳んで移動可能な容器の後部壁およびリッドを形成する工程とを含み、前記移動可能な容器の後部壁が、前記ボックスから第一の折り目に沿って延び、かつ前記第一の折り目付近で開位置と閉位置の間を移動可能であり、また前記リッドが、前記移動可能な容器の後部壁からヒンジ線に沿って延び、かつ前記開位置と前記閉位置の間で移動可能であり、また前記第一の区画が、前記リッドが前記開位置にある時にアクセス可能であり、また前記第二の区画が、前記リッドおよび前記移動可能な容器の後部壁の両方がそれぞれその前記開位置にある時にアクセス可能である、方法。
【請求項７】
前記第三の層状ブランクを折り畳んで前記ボックスを形成する前記工程が、前記第三の層状ブランクを折り畳んでボックスの後部壁を形成する工程を含み、また前記移動可能な容器の後部壁が前記閉位置にある時に、前記移動可能な容器の後部壁が前記ボックスの後部壁の上にある、請求項６に記載の方法。
【請求項８】
請求項６または７に記載の方法であって、前記第三の層状ブランクが第一の側面、第二の側面および弱化線を含み、また前記第一および前記第二の区画を前記第三の層状ブランクに固定する前記工程が、前記第一および前記第二の区画のそれぞれの後部壁を前記第三の層状ブランクの前記第一の側面に固定する工程を含み、前記第三および前記第四の層状ブランクを折り畳む前記工程が、
前記第三の層状ブランクを前記第一および前記第二の区画の周りで折り畳んでボックスの後部壁および第一の移動可能なバックパネルを形成する工程であって、前記第一の移動可能なバックパネルが前記弱化線および前記第一の折り目によって線引きされ、また前記第一の区画が前記ボックスの後部壁に固定され、また前記第二の区画が前記第一の移動可能なバックパネルに固定される、工程と、
前記第四の層状ブランクを折り畳んで、第二の移動可能なバックパネルおよび前記第二の移動可能なバックパネルから延びるリッドを形成する工程とを含み、
前記折り畳まれた第三の層状ブランクを前記第四の層状ブランクに固定する前記工程が、前記第一および前記第二の移動可能なバックパネルが共に前記移動可能な容器の後部壁を形成するように、前記第四の層状ブランクの前記第二の移動可能なバックパネルを前記第三の層状ブランクの前記第一の移動可能なバックパネルの前記第二の側面に固定する工程を含む、方法。
【請求項９】
前記弱化線が前記第一の移動可能なバックパネルを前記ボックスの後部壁に接続する１つ以上の壊れやすい部分を含み、前記壊れやすい部分が前記移動可能な容器の後部壁を前記閉位置に保持し、また前記移動可能な容器の後部壁を前記開位置にまず移動すると前記壊れやすい部分が壊れる、請求項８に記載の方法。
【請求項１０】
前記第一の移動可能なバックパネルの端が、前記ボックスの後部壁の開口部を画定し、また前記移動可能な容器の後部壁が、前記移動可能な容器の後部壁が前記閉位置にある時に前記開口部を覆い、また前記開口部が、前記移動可能な容器の後部壁が前記閉位置から前記開位置に移動した時に前記第二の区画へのアクセスを許容する、請求項８または９に記載の方法。
【請求項１１】
前記第二の区画が、前記移動可能な容器の後部壁が前記開位置および前記閉位置の間を移動する時に、前記ボックスの後部壁にある前記開口部を通して移動する、請求項１０に記載の方法。
【請求項１２】
前記第一および前記第二の層状ブランクを折り畳む前記工程が、前記第一および前記第二の層状ブランクのうち少なくとも一つをエアロゾル発生物品の周りで折り畳む工程を含む、請求項６〜１１のいずれか１項に記載の方法。
【発明の詳細な説明】
【技術分野】
【０００１】
本発明は、消費財を受けるためでありかつ移動可能な壁を備える容器に関連する。本発明はまた、消費財を受けるためでありかつ移動可能な壁を備える容器を形成する方法にも関連する。本発明による容器には、紙巻たばこなどの細長い喫煙物品用の容器としての特定の用途がある。
【背景技術】
【０００２】
細長い喫煙物品およびその他の消費財を、折り曲げられた層状ブランクから形成された容器内に包装することが知られている。紙巻たばこおよび葉巻たばこなどの細長い喫煙物品は一般に、喫煙物品を収容するボックスと、容器の後部壁を横切って延びるヒンジ線でボックスに連結されたリッドとを有する、ヒンジリッドパック入りで販売される。こうしたパックは通常、層状の厚紙ブランクから構成される。使用時、リッドはヒンジ線を中心として回転してパックを開き、ボックス内に保持されている喫煙物品の束へのアクセスが得られる。
【０００３】
従来的な容器と比較した時に追加的な機能性を提供する消費財のための新しい容器を提供することが望ましい。既存の製造工程または包装設備を著しく変更することなく簡単に製造できる容器を提供することが特に望ましい。
【０００４】
第一の態様によれば、本発明は消費財用の容器を提供しており、容器は底部壁、２つの側壁、後部壁および前部壁を含むボックスを含む。容器はさらに、ボックスからから第一の折り目に沿って垂れ下がる移動可能な容器の後部壁を含み、ここで、移動可能な容器の後部壁は、第一の折り目付近で、開位置と閉位置の間を移動可能であり、また移動可能な容器の後部壁が閉位置にある時、移動可能な容器の後部壁は少なくとも部分的にボックスの後部壁の上にある。リッドは移動可能な容器の後部壁からヒンジ線に沿って垂れ下がり、リッドは開位置と閉位置の間で移動可能である。消費財を受けるための第一の区画はボックス内に位置するが、ここで第一の区画はリッドが開位置にある時にアクセス可能であり、また消費財を受けるための第二の区画もボックス内に位置するが、ここで第二の区画はリッドおよび移動可能な容器の後部壁の両方がそれぞれその開位置にある時にアクセス可能である。
【発明の概要】
【０００５】
本発明による容器の構成要素の相対的位置を描写するために使用される「側面」、「上部」、「底部」、「後部」といった用語およびその他の用語は、リッドが上部端にあり、ボックスの底部壁が底部にある直立位置にある容器について言及するものである。本発明による容器を描写する時、描写する容器の向きに関係なく、これらの用語が使用される。容器のリッドを旋回運動により開けるようにするヒンジ線は、容器の「後部」に位置する。逆に、容器の「前部」は、容器の「後部」と反対の容器の面を意味する。
【０００６】
本書で使用される場合、「パネル」という用語は、材料の単一の連続した部分から形成される容器の一部分を意味する。パネルは、１つ以上のその他のパネルから１つ以上の折り目に沿って垂れ下がりうる。「フラップ」という用語は、１つのみのその他のパネルから１つのみの折り目に沿って垂れ下がるパネルを意味する。
【０００７】
「壁」という用語は、より一般的に容器の面を意味し、また壁は単一のパネルまたはフラップから形成されうるか、または壁は２つ以上の隣接するまたは重なり合うパネルまたはフラップから形成されうる。
【０００８】
「ヒンジ線」という用語は、２つの要素がその周りを相互に旋回しうる線を意味する。ヒンジ線は、例えば、容器の壁またはパネル内の折り目、穿孔線または横罫線でもよい。別の方法として、２つの要素は、別個に形成されて、第三の要素によってヒンジ止めされてもよい。例えば、切れ目に沿って相互に隣接する２つのパネルは、２つのパネル間を切れ目を横切って延びるラベルまたはステッカーによって結合されうるが、ここで、ラベルまたはステッカーは、２つのパネル間の切れ目に沿った相対運動を許容する。この場合には、ラベルまたはステッカーはヒンジを形成し、また切れ目はヒンジ線を形成する。
【０００９】
消費財用の第一および第二の区画を提供することにより、本発明による容器は、従来的な容器の外観と類似しつつも、なお容器よりも著しく小さいものとしうる消費財を収容するのに適するように構成できる。例えば、容器は、細長い喫煙物品用の従来的なヒンジリッドパックと類似しつつも、従来的なフィルター紙巻たばこよりも著しく小さい消費財を第一および第二の区画内に受けるように構成されうる。
【００１０】
その上、本発明による容器は、より従来的な容器の外観および寸法を維持でき、したがって、容器の包装やパッキング、および販売場所での容器の陳列など、下流の工程を修正する必要がなくなる。
【００１１】
さらに、第一および第二の区画を提供することで、有利なことに、消費財を受けるための単一の大きな区画を有する従来的な容器と比較して１つまたは少数の消費財が取り出された時に、残りの消費財の望ましくない運動を減少させうる。
【００１２】
有利なことに、本発明による容器はまた、従来的な容器と比較した時に、移動可能な容器の後部壁の結果として追加的な機能性を提供しうる。例えば、移動可能な容器の後部壁は、メッセージ、しるしまたはその他の情報を消費者に示すために、閉位置から開位置に移動しうる。
【００１３】
移動可能な容器の後部壁が偶発的または不注意に開くことを防止するために、移動可能な容器の後部壁は、リッドが開位置にある時にのみに閉位置から開位置へ移動可能であることが好ましい。例えば、一部の実施形態で、リッドは、リッドが閉位置にある時にボックスの前部壁の一部と少なくとも部分的に重なり合う前部壁を含む。これらの実施形態では、リッド前部壁とボックスの前部壁との間の重なりは、移動可能な容器の後部壁を閉位置に保持する。
【００１４】
上述の任意の実施形態において、容器は、ボックスの後部壁の開口部をさらに備えうるが、ここで、移動可能な容器の後部壁は、移動可能な容器の後部壁が閉位置にある時に、少なくとも部分的に開口部を覆い、また、移動可能な容器の後部壁が閉位置から開位置に移動した時に、開口部は第二の区画へのアクセスを許容する。一部の実施形態で、第二の区画は、移動可能な容器の後部壁が開位置と閉位置の間を移動した時に、第二の区画がボックスの後部壁にある開口部を通って移動するように、移動可能な容器の後部壁に接続される。
【００１５】
「接続される」という用語は、単一構成要素として一体として成形されうる容器の２つ以上の部分、または別個に形成されて相互に取り付けられうる２つ以上の部分を意味する。例えば、２つ以上の別個の部分は相互に、接着剤を使用して直接的に２つ以上の部分を一つに固定されてもよく、または２つ以上の部分に固定されその間に延びるさらなる要素（ラベルまたはステッカーなど）を使用して固定されてもよい。
【００１６】
容器は、移動可能な容器の後部壁の一部分をボックス（好ましくは開口部の端）に接続する１つ以上の壊れやすい部分をさらに備えうる。これらの実施形態では、壊れやすい部分は、ユーザーがまず移動可能な容器の後部壁を開位置に移動させて壊れやすい部分が壊れるまで、移動可能な容器の後部壁を閉位置に保持する。したがって、ユーザーが第二の区画へのアクセスを望むまで、壊れやすい部分は、時期尚早または偶発的に移動可能な容器の後部壁が開くのを防止できる。例えば、ユーザーが、第一の区画内に含まれている１つ以上の消費財を取り出して、第一の区画内に消費財が残らなくなった時に、第二の区画に１回だけアクセスしたい場合がある。この場合には、ユーザーはリッドを開いて、第一の区画へのアクセスを得つつ、壊れやすい部分は、リッドが開位置にある時でさえも移動可能な容器の後部壁が偶発的に開くのが防止される。
【００１７】
壊れやすい部分は、一連の穿孔および対になったそれぞれの連続的な穿孔間の未切断の材料セグメントを含む穿孔線などの弱化線を備えうる。この場合には、穿孔線は開口部の端の少なくとも一部分を画定することが好ましい。各穿孔の長さは、穿孔線が比較的少数の未切断の材料セグメントを含むように、隣接した未切断の材料セグメントの長さよりも著しく大きいことが好ましい。未切断の材料セグメントの数を最小限に抑えることで、ユーザーにとって初回に移動可能な容器の後部壁を開きやすくなる。例えば、穿孔線は、１〜１０個の未切断の材料セグメントを、好ましくは１〜５個の未切断の材料セグメントを含みうる。
【００１８】
開口部の端を画定する壊れやすい部分の代替として、壊れやすい部分は、容器上の異なる位置で移動可能な容器の後部壁をボックスに接続しうる。例えば、容器は、移動可能な容器の後部壁とボックスの側壁の間の容器の端に沿って移動可能な容器の後部壁をボックスに接続する、１つ以上の壊れやすい部分を備えうる。
【００１９】
移動可能な容器の後部壁の一部分をボックスに接続する１つ以上の壊れやすい部分に加えて、または別の方法として、容器は、移動可能な容器の後部壁およびボックスの後部壁のうち少なくとも一つに提供された低粘着性の接着剤を含みうるが、低粘着性の接着剤は、移動可能な部分を閉位置に開放可能なように保持する。
【００２０】
さらに、または別の方法として、容器は、移動可能な容器の後部壁の少なくとも一部分とボックスの少なくとも一部分との間に延びる、少なくとも一つの開封帯を備えうるが、初回に移動可能な容器の後部壁が開位置に移動できるようになる前に、ユーザーは少なくとも一つの開封帯を容器から取り外さなければならない。移動可能な容器の後部壁が偶発的かつ時期尚早に開くのを防止するのと同様に、少なくとも一つの開封帯は、ユーザーが移動可能な容器の後部壁がその以前に開かれていないことを確信できるように、不正開封防止機能を提供する。
【００２１】
さらに、または別の方法として、容器は、移動可能な容器の後部壁とボックスとの間に磁石式留め具または面ファスナーのうち少なくとも一つを備えて、移動可能な容器の後部壁を閉位置に開放できるように保持しうる。
【００２２】
さらに、または別の方法として、容器は、リッドとボックスの間に１つ以上の壊れやすい部分、低粘着性の接着剤、少なくとも一つの開封帯、磁石式留め具、および面ファスナーのうち少なくとも一つを備えて、リッドが偶発的または時期尚早に開かれるのを防止しうる。
【００２３】
上述の任意の実施形態において、ユーザーによってシールが壊されるかまたは開かれるまで第二の区画はシールされうるが、実質的に密封シールされることが好ましい。シールは、ユーザーが初回に移動可能な容器の後部壁を開位置に移動した時にシールが自動的に壊されるかまたは開かれるように、第二の区画とボックスの部分との間を延びうる。シールは、移動可能な容器の後部壁が開閉される際にシールが自動的に開閉されるように、再び封じることができることが好ましい。例えば、シールは、ボックスと第二の区画の間に延び、かつ移動可能な容器の後部壁が閉位置にある時に第二の区画を覆う、ラベルまたはフラップを備えうる。ラベルまたはフラップには、第二の区画を向いた側に低粘着性の接着剤が提供されることが好ましく、低粘着性の接着剤は、移動可能な容器の後部壁が閉じられて低粘着性の接着剤が第二の区画と接触するようになるたびにシール効果を提供する。
【００２４】
別の方法として、移動可能な容器の後部壁が開位置に移動した後はシールがユーザーによって手動で開かれなければならないように、シールはボックスに接続されなくてもよい。
【００２５】
第二の区画上にシールを提供すると、有利なことに、ユーザーが第二の区画へのアクセスを決定するまで第二の区画を環境から分離しつつ、同時にユーザーによる第一の区画内に含まれうる消費財へのアクセスが許容される。したがって、消費財が第一および第二の区画の両方に含まれている実施形態において、ユーザーが第一の区画から消費財をすべて取り出すまで第二の区画内の消費財の鮮度を維持できる。
【００２６】
「実質的に密封シールされた」という用語は、シールされた区画または１つ以上のシールされた消費財などのシールを意味するために使用され、シール内に含まれている１つ以上の消費財のオーブン揮発性物質含有量は、シールが無傷の状態または閉じたままの２週間中に消費財の約４重量パーセント以上は変化しない。１つ以上の消費財のオーブン揮発性物質含有量は、その２週間中に１つ以上の消費財の約２重量パーセント以上は変化しないことが好ましい。例えば、喫煙物品の束は、製造時に、喫煙物品の約１３重量パーセントのオーブン揮発性物質含有量を備えうる。したがって、こうした喫煙物品が区画内で実質的に密封シールされている実施形態では、喫煙物品のオーブン揮発性物質含有量は、喫煙物品が区画内でシールされてから２週間後に、約９パーセント〜約１７パーセント、好ましくは約１１パーセント〜約１５パーセントとなる。
【００２７】
さらに、または別の方法として、第二の区画は、第一の区画内の任意の消費財の容器から分離されシールされた、好ましくは実質的に密封シールされた、１つ以上の消費財を含みうる。例えば、第二の区画は１つ以上の個別にシールされた消費財を含んでもよく、または第二の区画が単一の束としてシールされた消費財の束を含んでもよい。第一の区画は、１つ以上のシールされた消費財を同様に含みうる。
【００２８】
上述の任意の実施形態において、容器は第一の区画および第二の区画内に１つ以上の消費財を含みうる。容器は、第一および第二の区画の両方に１つ以上の消費財を含むことが好ましい。
【００２９】
一部の実施形態では、１つ以上の消費財は複数のエアロゾル発生物品を含む。「エアロゾル発生物品」という用語は、本明細書では、加熱時にエアロゾルを形成する少なくとも一つの基体を含む物品を意味するために使用される。当業者にとっては周知の通り、エアロゾルは、固体粒子または液体小滴が空気などのガス中に浮遊したものである。エアロゾルは、空気などのガス中に固体粒子および液体小滴が浮遊したものでありうる。例えば、エアロゾル発生物品は、電気的に作動する喫煙システムで使用するための物品でもよい。この場合には、エアロゾル発生物品は、基体が加熱された時にニコチンを含むエアロゾルを発生させるたばこまたはその他のニコチン含有基体を含みうる。別の方法として、エアロゾル発生物品は、フィルター紙巻たばこなどのより従来的な喫煙物品を含みうる。
【００３０】
本発明はまた、上述した実施形態のいずれかによる容器を形成する方法にも及ぶ。したがって、第二の態様によれば、本発明は、消費財用の容器を形成する方法を提供するが、その方法は、第一の層状ブランクを折り畳んで消費財を受けるための第一の区画を形成する工程と、第二の層状ブランクを折り畳んで消費財を受けるための第二の区画を形成する工程とを含む。第一および第二の区画は第三の層状ブランクに固定され、第三の層状ブランクは第一および第二の区画の周りで折り畳まれて、底部壁、２つの側壁および前部壁を含むボックスを形成する。折り畳まれた第三の層状ブランクは第四の層状ブランクに固定され、第四の層状ブランクは折り畳まれて移動可能な容器の後部壁およびリッドを形成する。移動可能な容器の後部壁は、ボックスから第一の折り目に沿って垂れ下がり、開位置と閉位置の間を第一の折り目付近で移動可能である。リッドは移動可能な容器の後部壁からヒンジ線に沿って垂れ下がり、開位置と閉位置の間で移動可能である。第一の区画はリッドが開位置にある時にアクセス可能であり、また第二の区画はリッドおよび移動可能な容器の後部壁の両方がそれぞれその開位置にある時にアクセス可能である。
【００３１】
消費財用の第一および第二の区画を提供することで、容器内に貯蔵されうる消費財のサイズ、形状およびタイプに関してより大きな柔軟性が得られる。例えば、上述した通り、外観の点で従来的なヒンジリッド容器に類似した容器を形成することが可能となりうる一方で、第一および第二の区画は、従来的なヒンジリッド容器内に一般に貯蔵される消費財よりも小さな消費財を受けるように適合される。
【００３２】
その上、複数の層状ブランクを使用して第一および第二の区画を持つ容器を形成することで、完成した容器が比較的複雑であるにもかかわらず、比較的単純な製造工程が使用されるようになる。
【００３３】
移動可能な容器の後部壁はリッド部分が開位置にある時にのみ閉位置から開位置へ移動可能であることが好ましい。容器に関連して上述した通り、リッドが閉位置にある時に移動可能な容器の後部壁の運動を防止することで、偶発的または不注意に移動可能な容器の後部壁が開くことを防止できる。一部の実施形態では、リッドが閉位置にある時にリッドが少なくとも部分的にボックスの前部壁の一部と重なり合う前部壁を含むように、少なくとも一つの層状ブランクが折り畳まれる。この場合には、リッド前部壁とボックスの前部壁との間が重なることで、移動可能な容器の後部壁が閉位置に保持される。
【００３４】
一部の実施形態で、第三の層状ブランクを折り畳んでボックスを形成する工程は、第三の層状ブランクを折り畳んでボックスの後部壁を形成する工程を含み、ここで移動可能な容器の後部壁が閉位置にある時に、移動可能な容器の後部壁はボックスの後部壁の上にある。有利なことに、ボックスの後部壁の形成は、移動可能な容器の後部壁が開位置にある時に容器の剛性の維持を促進できる。
【００３５】
第三の層状ブランクは、第一の側面、第二の側面および弱化線を含むことが好ましく、ここで第一および第二の区画を第三の層状ブランクに固定する工程は、第一および第二の区画のそれぞれの後部壁を第三の層状ブランクの第一の側面に固定する工程を含む。この場合には、第三の層状ブランクを折り畳む工程は、第三の層状ブランクを第一および第二の区画の周りで折り畳んでボックスの後部壁および第一の移動可能なバックパネルを形成する工程を含み、第一の移動可能なバックパネルは弱化線および第一の折り目によって線引きされる。第一の区画はボックスの後部壁に固定され、第二の区画は第一の移動可能なバックパネルに固定される。第四の層状ブランクを折り畳む工程は、第四の層状ブランクを折り畳んで第二の移動可能なバックパネルおよび第二の移動可能なバックパネルから垂れ下がるリッドを形成する工程を含む。折り畳まれた第三の層状ブランクを第四の層状ブランクに固定する工程は、第四の層状ブランクの第二の移動可能なバックパネルを、第三の層状ブランクの第一の移動可能なバックパネルの第二の側面に固定する工程を含む。固定されると、第一および第二の移動可能なバックパネルは共に移動可能な容器の後部壁を形成する。
【００３６】
第三の層状ブランクに弱化線を含む実施形態では、弱化線は第一の移動可能なバックパネルをボックスの後部壁に接続する１つ以上の壊れやすい部分を備えうる。この場合には、壊れやすい部分は、移動可能な容器の後部壁を閉位置に保持し、また壊れやすい部分は、移動可能な容器の後部壁を開位置にまず移動することで壊れる。
【００３７】
前述の通り、１つ以上の壊れやすい部分は、一連の穿孔および対になったそれぞれの連続的な穿孔間の未切断の材料セグメントを含む穿孔線などの弱化線を備えうる。各穿孔の長さは、穿孔線が比較的少数の未切断の材料セグメントを含むように、隣接した未切断の材料セグメントの長さよりも著しく大きいことが好ましい。未切断の材料セグメントの数を最小限に抑えることで、ユーザーにとって初回に移動可能な容器の後部壁を開きやすくなる。例えば、穿孔線は、１〜１０個の未切断の材料セグメントを、好ましくは１〜５個の未切断の材料セグメントを含みうる。
【００３８】
第三の層状ブランクに弱化線を含む実施形態では、第一の移動可能なバックパネルの端は、ボックスの後部壁にある開口部を画定することが好ましく、ここで移動可能な容器の後部壁は、移動可能な部分が閉位置にある時に開口部を覆い、また開口部は、移動可能な容器の後部壁が閉位置から開位置に移動した時に第二の区画へのアクセスを許容する。容器が開口部を含む実施形態で、第二の区画は、移動可能な容器の後部壁が開位置および閉位置の間を移動する時に、ボックスの後部壁にある開口部を通して移動することが好ましい。
【００３９】
上述の任意の実施形態において、方法は、低粘着性の接着剤が第三および第四の層状ブランクが折り畳まれた後で移動可能な容器の後部壁を閉位置に保持するように、低粘着性の接着剤を第三および第四の層状ブランクのうち少なくとも一つの一部分に貼る工程を含みうる。
【００４０】
さらに、または別の方法として、方法は、移動可能な容器の後部壁の少なくとも一部分とボックスの少なくとも一部分との間に延びる、少なくとも一つの開封帯を形成する工程を含みうるが、初回に移動可能な容器の後部壁が開位置に移動できるようになる前に、ユーザーは少なくとも一つの開封帯を容器から取り外さなければならない。移動可能な容器の後部壁が偶発的かつ時期尚早に開くのを防止するのと同様に、少なくとも一つの開封帯は、ユーザーが移動可能な容器の後部壁がその以前に開かれていないことを確信できるように、不正開封防止機能も提供する。
【００４１】
さらに、または別の方法として、方法は、移動可能な容器の後部壁とボックスとの間に磁石式留め具または面ファスナーのうち少なくとも一つを備えて、移動可能な容器の後部壁を閉位置に開放できるように保持する工程を含みうる。
【００４２】
さらに、または別の方法として、方法は、リッドとボックスの間に１つ以上の壊れやすい部分、低粘着性の接着剤、少なくとも一つの開封帯、磁石式留め具、および面ファスナーのうち少なくとも一つを備えて、リッドが偶発的または時期尚早に開かれるのを防止する工程を含みうる。
【００４３】
上述の任意の実施形態において、ユーザーによってシールが壊されるかまたは開かれるまで第二の区画はシールされうるが、実質的に密封シールされることが好ましい。シールは、ユーザーが初回に移動可能な容器の後部壁を開位置に移動した時にシールが自動的に壊されるかまたは開かれるように、第二の区画とボックスの部分との間を延びうる。シールは、移動可能な容器の後部壁が開閉される際にシールが自動的に開閉されるように、再び封じることができることが好ましい。例えば、シールは、ボックスと第二の区画の間に延び、かつ移動可能な容器の後部壁が閉位置にある時に第二の区画を覆う、ラベルまたはフラップを備えうる。ラベルまたはフラップには、第二の区画を向いた側に低粘着性の接着剤が提供されることが好ましく、低粘着性の接着剤は、移動可能な容器の後部壁が閉じられて低粘着性の接着剤が第二の区画と接触するようになるたびにシール効果を提供する。
【００４４】
別の方法として、移動可能な容器の後部壁が開位置に移動した後はシールがユーザーによって手動で開かれなければならないように、シールはボックスに接続されなくてもよい。
【００４５】
第二の区画上にシールを提供すると、有利なことに、ユーザーが第二の区画へのアクセスを決定するまで第二の区画を環境から分離しつつ、同時にユーザーによる第一の区画内に含まれうる消費財へのアクセスが許容される。したがって、消費財が第一および第二の区画の両方に含まれている実施形態において、ユーザーが第一の区画から消費財をすべて取り出すまで、第二の区画内の消費財の鮮度を維持できる。
【００４６】
さらに、または別の方法として、第二の区画は、第一の区画内の任意の消費財の容器から分離されシールされた、好ましくは実質的に密封シールされた、１つ以上の消費財を含みうる。例えば、第二の区画が１つ以上の個別にシールされた消費財を含んでもよく、または第二の区画が単一の束としてシールされた消費財の束を含んでもよい。第一の区画は、１つ以上のシールされた消費財を同様に含みうる。
【００４７】
上述の任意の実施形態において、第一および第二の層状ブランクを折り畳む工程は、第一および第二の層状ブランクのうち少なくとも一つを１つ以上の消費財の周りで折り畳む工程を含みうる。第一および第二の層状ブランクを折り畳む工程は、第一および第二の層状ブランクの両方を１つ以上の消費財の周りで折り畳む工程を含むことが好ましい。
【００４８】
一部の実施形態では、１つ以上の消費財は複数のエアロゾル発生物品を含む。「エアロゾル発生物品」という用語は、本明細書では、加熱時にエアロゾルを形成する少なくとも一つの基体を含む物品を意味するために使用される。当業者にとっては周知の通り、エアロゾルは、固体粒子または液体小滴が空気などのガス中に浮遊したものである。エアロゾルは、空気などのガス中に固体粒子および液体小滴が浮遊したものでありうる。例えば、エアロゾル発生物品は、電気的に作動する喫煙システムで使用するための物品でもよい。この場合には、エアロゾル発生物品は、基体が加熱された時にニコチンを含むエアロゾルを発生させるたばこまたはその他のニコチン含有基体を含みうる。別の方法として、エアロゾル発生物品は、フィルター紙巻たばこなどのより従来的な喫煙物品を含みうる。
【００４９】
本発明の両方の態様による、および上述の任意の実施形態による容器は、２つの狭い壁によって間隙を介するそれぞれ２つの広い壁を含む直方体であることが好ましい。幅の広い２つの壁は通常、前方壁および後方壁であり、幅の狭い２つの壁は通常、側壁である。
【００５０】
容器は厚紙、ボール紙、プラスチック、金属、またはその組み合わせを含むがこれに限定されない、任意の適切な材料から形成しうる。容器は、折り曲げられた層状の厚紙ブランクから形成されることが好ましく、厚紙の坪量は、約１００グラム／平方メートル〜約３５０グラム／平方メートルであることが好ましい。
【００５１】
一部の実施形態で、組み立てられ充填されたそれぞれの容器は外側ラッパー内に包装されうる。外側ラッパーは例えば、高密度または低密度のポリエチレン、ポリプロピレン、方向性ポリプロピレン、ポリ塩化ビニリデン、セルロースフィルム、またはその組み合わせの透明高分子フィルムであることが好ましく、また外側ラッパーは従来的な方法で適用される。外側ラッパーは開封テープを含みうる。さらに、外側ラッパーは画像、消費者情報またはその他のデータとともに印刷しうる。
【００５２】
上述の通り、本発明による容器は直方体の形状とすることができ、長軸方向の直角の端および横断する直角の端を持ちうる。別の方法として、容器は一つ以上の長軸方向の丸み付きの端、横断する丸み付きの端、長軸方向の面取り付きの端または横断する面取り付きの端、またはその組み合わせを含みうる。
【００５３】
容器が一つ以上の面取り付きの端を含む場合、面取り付きの端の幅は、約１ｍｍ〜約１０ｍｍであることが好ましく、約２ｍｍ〜約６ｍｍであることが好ましい。別の方法として、容器は、２つの明確な面取りが容器の端上に形成されるように間隔を置いた、３本の平行な縦罫線または横罫線により形成された二重面取りを含みうる。
【００５４】
別の方法として、容器は、例えば、多角形（三角形または六角形など）、または半楕円形、または半円形といった、非長方形の横断断面を持ちうる。
【００５５】
上述の通り、本発明による容器は、例えば、紙巻たばこ、葉巻たばこまたはシガリロなど、エアロゾル発生物品用のパック、あるいは電気的に作動する喫煙システムで使用されるエアロゾル発生物品としての特定用途がある。当然のことながら、適切な寸法の選択によって、第一および第二の区画のうち少なくとも一つは、異なる数のエアロゾル発生物品用に設計されうる。別の方法として、その他の消費財を容器内に収容しうる。
【００５６】
本発明による容器の幅は約４０ｍｍ〜約１００ｍｍであることが好ましく、幅が約５０ｍｍ〜約９０ｍｍであることがより好ましいが、ここで幅は、容器の一方の側壁から他方の側壁までを測定したものである。
【００５７】
本発明による容器の奥行きは約６ｍｍ〜約１５０ｍｍであることが好ましく、奥行きが約１２ｍｍ〜約２５ｍｍであることがさらに好ましいが、ここで奥行きは、容器の前部壁から後部壁までを測定したものである。
【００５８】
容器の高さ対容器の奥行きの比は、約１対１〜約１０対１であることが好ましく、約２対１〜約８対１であることがさらに好ましく、約３対１〜約５対１であることが最も好ましい。
【００５９】
容器の幅対容器の奥行きの比は、約１対１〜約１０対１であることが好ましく、約２対１〜約８対１であることがさらに好ましく、約２対１〜約３対１であることが最も好ましい。
【００６０】
容器がエアロゾル発生物品を格納する場合、エアロゾル発生物品は第一および第二の区画の両方内に格納されうる。別の方法として、エアロゾル発生物品は、一方の区画のみ内に格納されうる。この場合には、他方の区画は、廃棄物（灰や吸い残しなど）、または例えばマッチ、ライター、消火手段、口臭消臭剤またはエレクトロニクスなどのその他の消費財を受けてもよい。
【００６１】
第一および第二の区画は、容器内で同じ向きを持ちうる。例えば、第一および第二の区画の両方は、容器の上部に面する開口部を備えうる。別の方法として、第一および第二の区画は異なる向きを持ちうる。例えば、第一の区画は容器の上部に面する開口部を有してもよく、また第二の区画は容器の側面に面する開口部を有してもよい。
【００６２】
容器の構造を簡単にするために、その付近で移動可能な容器の後部壁が移動可能な第一の折り目は、ボックスの底部壁と移動可能な容器の後部壁との間の折り目としうる。すなわち、折り目は、ボックスの底部壁が移動可能な容器の後部壁と交わる容器の端を形成しうる。別の方法として、第一の折り目は容器上の他の場所に位置しうる。例えば、第一の折り目は、ボックスの側壁の一つと移動可能な容器の後部壁との間の折り目としうる。別の方法として、折り目は、移動可能な容器の後部壁がボックスの後部壁から第一の折り目に沿って垂れ下がるように、容器の裏側全体に位置しうる。これらの実施形態では、リッドおよび移動可能な容器の後部壁が開いた位置で、容器が平坦な表面上に配置された時、ボックスの底部壁およびリッドの上部壁が平坦な表面にかかり、および移動可能な容器の後部壁が、リッドとボックスの後部壁の間に実質的に水平に延びるように、ボックスの後部壁の第一の折り目の高さは、リッドの後部壁の高さと実質的に同じであることが好ましい。この場合には、水平の移動可能な容器の後部壁は、その上にユーザーが、容器から消費財を取り出したり消費したりする間に品目を配置するプラットホームを提供できる。例えば、容器が１つ以上の喫煙物品を格納する実施形態では、水平のプラットホームは、ユーザーが喫煙物品の一つを消費する間に灰皿を受けるために使用されうる。第一および第二の区画の両方を含む実施形態では、第二の区画は、移動可能な容器の後部壁が水平位置にある時に、灰や紙巻たばこの吸い残しなどの廃棄物を受けるために機能しうる。
【００６３】
ここで、以下の添付図面を参照しながら本発明をさらに説明するが、これは例証としてのみである。
【図面の簡単な説明】
【００６４】
【図１】図１は、従来技術のヒンジリッド容器の斜視図を示す。
【図２】図２は、本発明の実施形態によるヒンジリッド容器の正面斜視図を示す。
【図３】図３は、図２のヒンジリッド容器の後面斜視図を示す。
【図４】図４は、図２のヒンジリッド容器の部分を形成するための外側の層状ブランクを示す。
【図５】図５は、図２のヒンジリッド容器の部分を形成するための内側の層状ブランクを示す。
【図６】図６は、図２のヒンジリッド容器内の区間を形成するブランクを示す。
【図７】図７は、図４、５および６のブランクを組み立てて、図２の容器を形成する工程を示す。
【図８】図８は、図４、５および６のブランクを組み立てて、図２の容器を形成する工程を示す。
【図９】図９は、図４、５および６のブランクを組み立てて、図２の容器を形成する工程を示す。
【図１０】図１０は、図４、５および６のブランクを組み立てて、図２の容器を形成する工程を示す。
【図１１】図１１は、図４、５および６のブランクを組み立てて、図２の容器を形成する工程を示す。
【図１２】図１２は、図４、５および６のブランクを組み立てて、図２の容器を形成する工程を示す。
【発明を実施するための形態】
【００６５】
図１は、紙巻たばこの束など複数のエアロゾル発生物品を格納するための、従来技術のヒンジリッド容器１０を示す。容器１０は、ボックス１２およびボックス１２の後部壁からヒンジ線に沿って垂れ下がるリッド１４を含む。ボックス１２は、エアロゾル発生物品が格納される単一の区画を画定する。
【００６６】
内側フレーム１６は、ボックス１２の内部表面に取り付けられ、ボックス１２の上部端の上に延びる。内側フレーム１６は、リッド１４が開位置の時に、その開口部を通してエアロゾル発生物品が取り出される開口部１８を画定する。リッド１４は、図１の開位置と閉位置の間で表示されている。一般に、ボックス１２およびリッド１４は第一の層状ブランクから形成され、また内側フレーム１６は第二の層状ブランクから形成される。
【００６７】
図２および３は、本発明の実施形態によるヒンジリッド容器２０を示す。容器２０は、ボックス２２および容器２０の移動可能な後部壁２８からヒンジ線２６に沿って垂れ下がるリッド２４を含む。移動可能な容器の後部壁２８は、ボックスの後部壁３０により図３でより明瞭に表示されている。移動可能な容器の後部壁２８は、その底部端で、ボックス２２の底部壁から折り目３２に沿って垂れ下がり、またリッド２４は、移動可能な容器の後部壁２８の上部端からヒンジ線２６に沿って垂れ下がる。移動可能な容器の後部壁２８は、ボックスの後部壁３０に対して位置する閉位置と図３に示す開位置との間で、折り目３２付近で移動可能である。
【００６８】
１つ以上の消費財を受けるための第一の区画３４はボックスの後部壁３０上に提供されるが、第一の区画３４はボックス２２の上部に位置する。１つ以上の消費財を受けるための第二の区画３６は移動可能な容器の後部壁２８上に提供され、移動可能な容器の後部壁２８が閉位置にある時に、ボックスの後部壁３０にある開口部３８を通してボックス２２の下側部分内に延びる。移動可能な容器の後部壁２８が図３に示す開位置に移動した時、第二の区画３６は開口部３８を通してボックス２２の下側部分の外側に移動する。
【００６９】
有利なことに、本発明によるヒンジリッド容器２０は、リッドが閉位置にある時に、図１に示す従来的なヒンジリッド容器１０と同一の外部寸法および外観を有する。ところが、本発明によるヒンジリッド容器２０の第一および第二の区画３４および３６は、従来的な容器１０内に格納される消費財よりも小さな消費財を収納できる。例えば、第一および第二の区画３４および３６は、電気的に作動する喫煙システムと併用するためのエアロゾル発生物品を格納できるが、これは、従来的なヒンジリッド容器１０内に格納されうる従来的なフィルター紙巻たばこよりも著しく短い。
【００７０】
第一の区画３４にアクセスするには、ユーザーはヒンジリッド容器２０のリッド２４を開く必要があるのみである。第二の区画３６にアクセスするには、ユーザーはまずリッド２４を開き、その後で移動可能な容器の後部壁２８を開位置に移動させる。
【００７１】
図４は、図２および３のヒンジリッド容器２０のリッド２４、移動可能な容器の後部壁２８および第一のボックスの底部パネルを形成するための外側の層状ブランク４０を示す。破線は折り目線を示し、実線はブランクの切れ目および端部を示す。
【００７２】
外側の層状ブランク４０は、外側の移動可能なバックパネル４２と、移動可能な部分のフラップ４４と、外側の移動可能なバックパネル４２の底部端から折り目に沿って垂れ下がる第一のボックスの底部パネル４６とを含む。リッドのバックパネル４８は、外側の移動可能なバックパネル４２の上部端から折り目に沿って垂れ下がり、リッドの上部パネル５０は、リッドのバックパネル４８の上部端から折り目に沿って垂れ下がり、リッドの前方パネル５２は、リッドの上部パネル５０の上部端から折り目に沿って垂れ下がり、パネル５４の下の補強は、リッドの前方パネル５２の上部端から折り目に沿って垂れ下がる。第一の組のリッドのサイドフラップ５６は、リッドのバックパネル４８から折り目に沿って垂れ下がり、第二の組のリッドのサイドフラップ５８は、リッドの前方パネル５２から折り目に沿って垂れ下がる。リッドの上部フラップ６０は、リッドの上部パネル５０から折り目に沿って垂れ下がる。
【００７３】
図５は、図２および３のヒンジリッド容器２０のボックス２２を形成するための層状ブランク７０を示す。破線は折り目線を示し、実線はブランクの切れ目および端部を示す。
【００７４】
内側の層状ブランク７０は、第二のボックスの底部パネル７２を含み、ボックスの前方パネル７４は、第二のボックスの底部パネル７２の底部端から折り目に沿って垂れ下がる。バックパネル７６は、第二のボックスの底部パネル７２の上部端から折り目７８に沿って垂れ下がり、バックパネル７６は穿孔線８０を含む。第二のボックスの底部パネル７２の上部端に沿った穿孔線８０および折り目７８によって線引きされるバックパネル７６の部分は、内側の移動可能なバックパネル８２を形成する。バックパネル７６の残りの部分は、ボックスの後部壁８４を形成する。
【００７５】
ボックスのサイドフラップ８６は、ボックスの前方パネル７４の側方端から折り目に沿って垂れ下がり、内側フレームのサイドパネル８８は、ボックスの後部壁８４から折り目に沿って垂れ下がる。内側フレームの前方フラップ９０は、内側フレームのサイドパネル８８の側方端から折り目に沿って延びる。
【００７６】
図６は、図２および３のヒンジリッド容器２０の区画を形成するための層状ブランク１００を示す。破線は折り目線を示し、実線はブランクの切れ目および端部を示す。
【００７７】
層状ブランク１００は、区画の前方パネル１０２を含み、区画の底部パネル１０４は、区画の前方パネル１０２の底部端から折り目に沿って垂れ下がり、第一の区画のバックフラップ１０６は、区画の底部パネル１０４から折り目に沿って垂れ下がる。区画のサイドパネル１０８は、区画の前方パネル１０２の側方端から折り目に沿って垂れ下がり、第二および第三の区画のバックフラップ１１０および１１２は、区画のサイドパネル１０８の側方端から折り目に沿って垂れ下がる。
【００７８】
ヒンジリッドハウジング２０のための区画を形成するために、層状ブランク１００は、区画の底部パネル１０４が区画の底部壁を形成し、区画のサイドパネル１０８が区画の側壁を形成するように折り畳まれる。層状ブランク１００はまた、第二および第三の区画のバックフラップ１１０および１１２が相互に隣接するまたは部分的に重なり、かつどちらも第一の区画のバックフラップ１０６と重なり合うように折り畳まれる。第一、第二および第三の区画のバックフラップ１０６、１１０および１１２は、共に区画の後部壁を形成する。第二および第三の区画のバックフラップ１１０および１１２は第一の区画のバックフラップ１０６に接着されて、層状ブランク１００を折り畳まれた状態に保持する。区画を形成する折り畳まれた層状ブランク１００を図７に示す。
【００７９】
図２および３に示すヒンジリッド容器２０を形成するために、図７に示す２つの区画が提供され、少なくとも一つの区画が１つ以上の消費財を格納する。消費財は、層状ブランク１００が折り畳まれて区画が形成された後で区画に挿入されてもよく、また層状ブランク１００は、区画を形成する時に１つ以上の消費財の周りに折り畳まれてもよい。
【００８０】
図８に示す通り、２つの区画は、内側の層状ブランク７０のバックパネル７６に固定される。一方の区画はボックスの後部壁８４に固定されて第一の区画３４を形成し、他方の区画は内側の移動可能なバックパネル８２に固定されて第二の区画３６を形成する。区画は、適切な接着剤を使用して内側の層状ブランク７０に固定されうる。
【００８１】
次に、内側の層状ブランク７０の内側フレームのサイドパネル８８および内側フレームの前方フラップ９０が第一および第二の区画３４および３６の周りで折り畳まれて、図９に示す通り、第一および第二の内側フレーム部分１２０および１２２を形成する。
【００８２】
次に、ボックスの前部壁１２４を共に形成するように、第二のボックスの底部パネル７２が第二の区画３６の下に折り畳まれ、またボックスの前方パネル７４が第一および第二の内側フレーム部分１２０および１２２の前方上に折り畳まれる。ボックスのサイドフラップ８６は、ボックスの側壁を共に形成するように、第一および第二の内側フレーム部分１２０および１２２の側面の周りで折り畳まれる。
【００８３】
折り畳まれた内側の層状ブランク７０を受けるための外側の層状ブランク４０を準備するために、移動可能な部分のフラップ４４は、外側の移動可能なバックパネル４２の内部表面上に折り畳まれるか、または好ましくはそれに接着されて、外側の移動可能なバックパネル４２を補強する。
【００８４】
折り畳まれた内側の層状ブランク７０を受けるための外側の層状ブランク４０をさらに準備するために、パネル５４の下の補強はリッドの前方パネル５２の内部表面の上に折り畳まれ、好ましくはそれに接着され、またリッドの上部フラップ６０はリッドの上部パネル５０の内部表面の上に折り畳まれ、好ましくはそれに接着される。
【００８５】
図１１に示す通り、第一および第二の区画３４および３６を含む折り畳まれた内側の層状ブランク７０は、準備された外側の層状ブランク４０に固定される。特に、内側の移動可能なバックパネル８２の外側表面は、外側の移動可能なバックパネル４２および折り畳まれた移動可能な部分のフラップ４４の内部表面に接着され、また第二のボックスの底部パネル７２の外側表面は、第一のボックスの底部パネル４６の内部表面に接着される。外側の移動可能なバックパネル４２、折り畳まれた移動可能な部分のフラップ４４および内側の移動可能なバックパネル８２は共に、移動可能な容器の後部壁２８を形成する。第一および第二のボックスの底部パネル４６および７２は共に、ボックスの底部壁を形成する。
【００８６】
最後に、図１２に示す通り、リッドの上部パネル５０、リッドの前方パネル５２、および第一および第二の組のリッドのサイドフラップ５６および５８は折り畳まれてリッド２４を形成する。リッドパネルおよびフラップを折り畳まれた位置に維持するために、第二のリッドのサイドフラップ５８のそれぞれが対応する第一のリッドのサイドフラップ５６に重なって接着され、リッドの側壁を形成する。
【図１】
0006688232.tif 000002
【図２】
0006688232.tif 000003
【図３】
0006688232.tif 000004
【図４】
0006688232.tif 000005
【図５】
0006688232.tif 000006
【図６】
0006688232.tif 000007
【図７】
0006688232.tif 000008
【図８】
0006688232.tif 000009
【図９】
0006688232.tif 000010
【図１０】
0006688232.tif 000011
【図１１】
0006688232.tif 000012
【図１２】
0006688232.tif 000013